(57)【要約】【課題】可聴周波数帯域において、より一層の音質向上が図れる電磁型音響変換器を提供する。【解決手段】振動板１１に対向してポールピース１３が配設され、ポールピース１３の外周にコイル１４が配設され、更にコイル１４の外周に磁石１５が配設され、振動板１１の周波数帯域が２０Ｈｚ〜２０ｋＨｚである電磁型音響変換器において、コイル１４は、銀線または銀メッキした銅線よりなる。【選択図】      図１
0003178344.tif 000002
【実用新案登録請求の範囲】
【請求項１】
振動板に対向してポールピースが配設され、このポールピースの外周にコイルが配設され、更にこのコイルの外周に磁石が配設され、前記振動板の周波数帯域が２０Ｈｚ〜２０ｋＨｚである電磁型音響変換器において、前記コイルは、銀線または銀メッキした銅線よりなることを特徴とする電磁型音響変換器。
【考案の詳細な説明】
【技術分野】
【０００１】
本考案は電磁型音響変換器に係り、特にイヤーホーンに好適な電磁型音響変換器に関する。
【背景技術】
【０００２】
電磁型音響変換器は、振動板に対向してポールピース（鉄心）が配設され、ポールピースの外周にはコイルが配設され、コイルの外周には磁石が配設されており、ポールピース、コイル及び磁石はプレートに固定された構造となっている。この種の電磁型音響変換器として、例えば特許文献１及び２が挙げられる。
【０００３】
従来、音質向上を目的として、前記コイルに電流を供給する配線を銅線から銀線に変更することが知られている。このような配線として、例えば特許文献３が挙げられる。
【先行技術文献】
【特許文献】
【０００４】
【特許文献１】特開２００２−５５６８３号公報
【特許文献２】特開２００３−１２５４８８号公報
【特許文献３】特開平１１−３３９５６８号公報
【考案の概要】
【考案が解決しようとする課題】
【０００５】
オーディオにおいて、主として人が可聴できる周波数帯域は、２０Ｈｚ〜２０ｋＨｚである。この可聴周波数帯域においては、如何に音質を向上させるかが課題となっていた。上記従来技術によっては音質向上に限界があった。
【０００６】
本考案の課題は、可聴周波数帯域において、より一層の音質向上が図れる電磁型音響変換器を提供することにある。
【課題を解決するための手段】
【０００７】
上記課題を解決するための本考案の請求項１は、振動板に対向してポールピースが配設され、このポールピースの外周にコイルが配設され、更にこのコイルの外周に磁石が配設され、前記振動板の周波数帯域が２０Ｈｚ〜２０ｋＨｚである電磁型音響変換器において、前記コイルは、銀線または銀メッキした銅線よりなることを特徴とする。
【考案の効果】
【０００８】
銅線コイルを使用した電磁型音響変換器と銀線コイルを使用した電磁型音響変換器とでは、１ｋＨｚ〜１０ｋＨｚの周波数帯域においての共振時のＱ（電流）の最大、最小で２５％の違いがある。これが音質に影響しているものと思われる。その電気等価回路上での違いはコイルの材質のみであり、銀線は銅線より直流抵抗が小さい分、共振時でその現象を発生させている。
【図面の簡単な説明】
【０００９】
【図１】本考案の電磁型音響変換器の一実施の形態を適用したイヤーホーンの断面図である。
【図２】コイルに電流を供給する部分の説明図である。
【図３】銅線コイルと銀線コイルにおける周波数特性を示す図である。
【図４】銅線コイルと銀線コイルにおける周波数と合成抵抗との関係図である。
【図５】図 4と同様の関係図である。
【図６】銅線コイルと銀線コイルにおける電磁型音響変換器の周波数と合成抵抗差との関係図である。
【考案を実施するための形態】
【００１０】
本考案の電磁型音響変換器を適用したイヤーホーンの一実施の形態を図１及び図２により説明する。ケース１は、一方側に耳栓２を取付ける円筒状の耳栓取付け部１ａと、この耳栓取付け部１ａの他方側に該耳栓取付け部１ａより大径で後記する電磁型音響変換器１０を収納する円筒状の変換器収納部１ｂとからなっている。耳栓取付け部１ａと変換器収納部１ｂとは連通しており、耳栓取付け部１ａ及び変換器収納部１ｂの端部は開放している。
【００１１】
耳栓取付け部１ａの外側には、耳栓２が装着されている。耳栓２は、耳栓取付け部１ａに弾力的に装着される円筒状の装着部２ａと、この装着部２ａの先端より変換器収納部１ｂの方向に円弧状に伸びて弾力性を有し、耳に挿入される耳挿入部２ｂとからなっている。耳栓取付け部１ａ内には、２個の耳垢フィルター３、３がスペーサ４を介して配設され、耳垢フィルター３、３は耳垢フィルター固定リング５で固定されている。
【００１２】
前記変換器収納部１ｂ内に収納された電磁型音響変換器１０は次のような構成となっている。変換器収納部１ｂの底部には振動板１１が載置され、この振動板１１の耳栓取付け部１ａ側には磁性材料からなる磁片１２が固定されている。振動板１１の中心部に対応して一定の隙間を保って磁性材料よりなるポールピース１３が配設されており、このポールピース１３の外周には円筒状に形成されたコイル１４が配設されている。更にコイル１４の外周には若干の隙間を有して円筒状の磁石１５が配設されており、コイル１４及び磁石１５はポールピース１３に固定されたプレート１６に固定されている。磁石１５及び振動板１１は変換器収納部１ｂに装着された保持リング１７で保持され、また変換器収納部１ｂには保持リング１７を変換器収納部１ｂに保持するようにフック１８が配設されており、フック１８は変換器収納部１ｂの係合部１ｃによって保持されている。
【００１３】
コイル１４には、ＡＣ電源２０の配線２１、２１が接続されている。そこで、コイル１４に電流を供給すると、コイル１４に発生した磁束が閉磁気回路の磁束を変化させ、その変化に振動板１１がに固着された磁片１２に発生している吸引力が変化し音響を発生させる。
【００１４】
本実施の形態は、人の可聴周波数帯域（２０Ｈｚ〜２０ｋＨｚ）の音響を発生する電磁型音響変換器において、従来、銅線を使用していたコイル１４を銀線で形成したことを特徴とする。本願出願人は、コイル１４の材質が音質に影響するのではないかと判断し、試作実験を重ね、周波数特性の違いと音に精通した数人に試聴させた結果、銀線コイルが良い音質が得られるということが判明した。そこで、本願出願人は、銀線コイルの電磁型音響変換器が良い音質が得られるという事実に基づき、従来の銅線コイルと銀線コイルとの比較実験を行った。
【００１５】
まず、コイル１４として銅線を使用した電磁型音響変換器と銀線を使用した電磁型音響変換器の両者において、周波数特性を調査した。その結果、図３に示すような関係が得られた。図３より明らかなように、１ｋＨｚ以下の周波数では殆ど両者に違いは表れなかった。１ｋＨｚ以上の周波数では音圧の大きさは最大約２ｄＢ弱の違いを示している部分もあるが、２ｄＢは一般的な倍率に換算すると約１．２５９倍の違いであり、一般的には３ｄＢ（約１．４１３倍) 以下の感度差は判断できないとされている。即ち、周波数特性上では聞き分けることが出来ない差を示している。
【００１６】
そこで、次に図 2に示すコイル１４単体で合成抵抗の違いを測定した結果を図４に示す。図４より明らかなように、実験用に作成したコイルの合成抵抗は銅線コイルより銀線コイルの方が若干大きいことが判る。ここで、合成抵抗ＺはＺ＝ωＬで表せる。ωは２π×ｆ、ここで、πは円周率、ｆは周波数、Ｌはコイル１４のインダクタンスである。
【００１７】
次に図１に示すイヤーホーンにおいて、コイル１４の材質が異なる銅線と銀線を使用した製品の合成抵抗を測定した結果を図５に示す。ここで、合成抵抗は電気系、機械系、音響系が合成された結果で得られた抵抗を示す。図６は両者の違いを見易くするため、銅線と銀線の差が銅線に対し何％発生したかを示すグラフを作成した。図６より明らかなように、合成抵抗の違いは、約１ｋＨｚ〜１０ｋＨｚ付近に発生し、それ以外の周波数はほぼ同じ違いの差（約５％弱) を示している。違いを発生させている周波数帯域は、電気系、機械系、音響系で作られる共振、反共振が発生しいる。共振時はプラス方向の違いを大きく出し、反共振時ではマイナス方向の違いを出していることは、電気系、機械系、音響系で作られる電気等価回路上では共振時のＱの違いにより発生する現象である。言い方を変えると、直流抵抗成分の抵抗は銀線の方が小さい。このように、１ｋＨｚ〜１０ｋＨｚの周波数帯域においての共振時の合成抵抗の違いによる最大、最小で２５％の違いがある。これが音質に影響しているものと思われる。その電気等価回路上での違いはコイル１４の材質のみであり、銀線は銅線より直流抵抗が小さい分、共振時でその現象を発生させている。このように、図１に示す完成品は図２に示すコイル１４単体の比較では見られない違いが明らかである。
【００１８】
なお、上記実施の形態は、コイル１４に銀線を使用した場合について説明したが、銅線に銀メッキを施した銀メッキ銅線においても、銅線のみの場合よりも良い音質が得られる。
【符号の説明】
【００１９】
１    ケース
２    耳栓
１０    電磁型音響変換器
１１    振動板
１２    磁片
１３    ポールピース
１４    コイル
１５    磁石
１６    プレート
【図１】
0003178344.tif 000003
【図２】
0003178344.tif 000004
【図３】
0003178344.tif 000005
【図４】
0003178344.tif 000006
【図５】
0003178344.tif 000007
【図６】
0003178344.tif 000008